【誤訳訂正書】
【提出日】平成23年12月27日(2011.12.27)
【誤訳訂正１】
【訂正対象書類名】特許請求の範囲
【訂正対象項目名】全文
【訂正方法】変更
【訂正の内容】
【特許請求の範囲】
【請求項１】
少なくとも１つの外側層ａ）と硬質イソシアネートベースの発泡体ｂ）からなり、前記外側層ａ）と前記硬質イソシアネートベースの発泡体ｂ）との間に、接着促進剤ｃ）が施された複合素子の製造方法であって、
前記外側層ａ）を連続的に移動させ、前記接着促進剤ｃ）と硬質イソシアネートベースの発泡体ｂ）の出発材料とを前記外側層に連続的に施し、且つ前記接着促進剤ｃ）が発泡体ｂ）と反応するように調節された状態で、水平又は水平位置と１５度以内の傾きで配置された回転状態の回転板により施され、
接着促進剤ｃ）は、液体であり、及び回転板に供給されることを特徴とするイソシアネートベースの複合素子の製造方法。
【請求項２】
使用される前記接着促進剤ｃ）が、
単一又は複数の成分の反応性ポリウレタン組成物を構成することを特徴とする請求項１に記載の方法。
【請求項３】
前記接着促進剤ｃ）がその風乾時間を越える前に、前記硬質イソシアネートベースの発泡体ｂ）の出発材料が下側の前記外側層に施されることを特徴とする請求項２に記載の方法。
【請求項４】
前記接着促進剤ｃ）の濃度が、
２００−１２００ｇ／Ｌであることを特徴とする請求項２に記載の方法。
【請求項５】
前記接着促進剤ｃ）が、
物理的発泡剤を含まないことを特徴とする請求項２に記載の方法。
【請求項６】
前記硬質イソシアネートベースの発泡体ｂ）が、
ポリウレタンフォーム又は、ポリイソシアヌレートフォームであることを特徴とする請求項１に記載の方法。
【請求項７】
使用される前記外側層が、
石膏ボード、ガラス不織布、アルミホイル、アルミ板、銅板又は鉄シートであることを特徴とする請求項１に記載の方法。
【請求項８】
使用される前記外側層が、鋼鉄板を含むことを特徴とする請求項１に記載の方法。
【請求項９】
前記複合素子の製造のために使用される双ベルトシステムの温度が６０℃未満であることを特徴とする請求項１に記載の方法。
【請求項１０】
前記外側層に施される接着促進剤ｃ）の量が、３０−３００ｇ／ｍ２であることを特徴とする請求項１に記載の方法。
【請求項１１】
前記接着促進剤ｃ）が施された外側層の湿潤が、完全でなくても良いことを特徴とする請求項１に記載の方法。
【請求項１２】
前記外側層は、２〜１５ｍ／ｍｉｎの一定速度で移送されることを特徴とする請求項１に記載の方法。
【請求項１３】
前記回転板は、円形であることを特徴とする請求項１に記載の方法。
【請求項１４】
前記回転板は、楕円形であることを特徴とする請求項１に記載の方法。
【請求項１５】
前記回転板の外形が、階段形状であることを特徴とする請求項１に記載の方法。
【請求項１６】
前記回転板の幅に対する長さの比が、１〜１．８であることを特徴とする請求項１に記載の方法。
【請求項１７】
前記回転板の直径が、
その長手方向を基準として、０．０５〜０．３ｍであることを特徴とする請求項１に記載の方法。
【請求項１８】
前記回転板が、完全に平坦であることを特徴とする請求項１に記載の方法。
【請求項１９】
前記回転板の端部が、上方に向かって丸められているか又は、角付けられている形状であることを特徴とする請求項１に記載の方法。
【請求項２０】
前記外側の丸められた又は角付けられた部分において、０．５〜３ｍｍの直径を有する４〜６４の孔部が設けられていることを特徴とする請求項１９に記載の方法。
【請求項２１】
前記回転板の外形が、階段形状であり、
各階段の段差部に、１０〜３０個の１．５ｍｍから２．５ｍｍの直径を有する孔部が設置されていることを特徴とする請求項１９に記載の方法。
【請求項２２】
前記回転板が、湿潤した前記外側層の０．０２〜０．２ｍ上方に設置されたことを特徴とする請求項１に記載の方法。
【請求項２３】
前記外側層ａ）上の接着促進剤ｃ）の湿潤半径が、０．２５〜１ｍであることを特徴とする請求項１に記載の方法。
【請求項２４】
前記回転板の回転数が、２００〜２５００ｒｐｍであることを特徴とする請求項１に記載の方法。
【誤訳訂正２】
【訂正対象書類名】明細書
【訂正対象項目名】０００２
【訂正方法】変更
【訂正の内容】
【０００２】
特に、金属性の外側層と、イソシアネートベースの発泡体（フォーム）、主としてポリウレタン(PU)フォームかポリイソシアヌレート（PIR)フォームで構成されたコア部分と、から成る複合素子の生産方法は、現代では、連続的に操作される双ベルトシステム（ドッペルバンドアンラーゲ）上で広く行われており、その素子は通常、サンドイッチ素子と呼ばれている。既存の保冷材用のサンドウィッチ要素と並び、着色された外側層を有する要素は常に重要性を増しており、これらは、多種の建物における正面部分の形成を意図したものである。ここで使用される外側層は、鉄製の板だけでなく、ステンレス鋼の板、銅製の板、アルミ製の板で被覆される。特に正面部分の要素の場合、フォームと外側層の間の接着は、極めて重要である。もし、外側層の色合いが暗い場合、断熱されて外部を向いた外側層でも、その温度が容易に８０℃付近に到達する。もし、フォームの外側層への接着が十分でない場合、シートからフォームが離れることによって、表面にブリスターを生成し、このブリスターが建物の正面部分の美観を損ねてしまう。これらの問題を回避するために、コイルの製造が完了する前に、接着を促進剤するラッカーを塗布する。しかしながら、その方法では、流動助剤、疎水化剤、非通気剤等のような添加剤が、接着を促進するラッカーの中に存在することが要求される。これらの添加剤は、時々ポリウレタン形成過程をかなり害する。これに加えて、外部に面した側上のラッカーとその反対側のラッカーとの間で鉄製コイル内に反応が起こる。それゆえに、その反対側に移った添加物質が、ほとんどの場合ＰＵ形成過程に悪影響を及ぼし、サンドウィッチ要素の欠陥へとつながる。
【誤訳訂正３】
【訂正対象書類名】明細書
【訂正対象項目名】００１３
【訂正方法】変更
【訂正の内容】
【００１３】
本発明は、更に、連続的に搬送される外側層に液体を塗布する装置であって、前記液体が、前記外側層と水平に、好ましくは水平かつ平行に、設置された回転状態の回転板に塗布され、前記回転板の回転による遠心力によって該回転板から排出され、重力によって下方の外側層に送られることを特徴とする装置を提供する。
【誤訳訂正４】
【訂正対象書類名】明細書
【訂正対象項目名】００２３
【訂正方法】変更
【訂正の内容】
【００２３】
接着促進剤は、水平に、好ましくは、水平且つ下側の外側層と平行で該下側の外側層よりも上に配置され、駆動手段により回転する回転板から排出される。その回転板は、水平から１５°以下の傾きで設置して良い。回転板は、円形又は楕円形でよい。幅に対する長さの比が１から１．８、特に好ましくは、１から１．４、特に、１．０から１．２５である。
【誤訳訂正５】
【訂正対象書類名】明細書
【訂正対象項目名】００２４
【訂正方法】変更
【訂正の内容】
【００２４】
その回転状態の回転板は、完全に平坦でもよく、又は、回転板の端部が、上方に向かって丸められているか又は角付けられている形状であっても良い。使用される回転板の端は、上方に向かって丸められているか又は角付けられている形状であることが好ましい。接着促進剤ｃ）の排出を保証するために、角付けられている部分に、孔部が設けられる。孔部の直径と数は、以下のように相互に調整される、すなわち、接着促進剤ｃ）を、下側に位置する外側層に可能な限り均一に、微細に分散できるように、回転板上に供給される全ての材料が、排出されるよう、及び回転板のメンテナンス費用が最小限にされるように調整される。
【誤訳訂正６】
【訂正対象書類名】明細書
【訂正対象項目名】００２５
【訂正方法】変更
【訂正の内容】
【００２５】
外側の角付けされた部分は、好ましくは、直径０．５から３ｍｍで４から６４の孔部、好ましくは、直径１から３ｍｍで１２から４０の孔部、好ましくは、直径１．５から２．５ｍｍで１５から３０の孔部を有する。
【誤訳訂正７】
【訂正対象書類名】明細書
【訂正対象項目名】００２６
【訂正方法】変更
【訂正の内容】
【００２６】
一つの実施態様として、回転板の外形は、階段形状でよい。図１は、この種の回転板の側面図を示している。本発明の階段形状は、回転部材（Ａ）の軸から外側に向かって上昇するように設置されている。一つの段から隣接する段（Ｂ）への段差部に、回転板に設けられる孔部がある。これによって、接着促進剤ｃ）の一部分が、これらの階段の段差部で下側の外側層に排出される。階段形状で構成されるこの種の回転板によって、特に、下側に配置される外側層に接着促進剤が一様に施される。回転板への接着促進剤の供給は回転軸に可能な限り近接して行われる。驚くべきことに、本発明では、製造方向に平行にある接着促進剤の塗布位置が正確に、回転軸よりも前、又は後であるならば、接着促進剤が特に一様に分布されることが判明した。回転板の直径は、外側層の幅に依存し、その直径は、その長手方向を基準として、０．０５から０．３ｍ、好ましくは、０．１から０．２５ｍ、特に好ましくは、０．１２から０．２２ｍである。回転板は、湿潤された外側層から、０．０２から０．２２ｍ、好ましくは、０．０３から０．１８ｍ、特に好ましくは０．０３から０．１５ｍの高さに設置されている。
【誤訳訂正８】
【訂正対象書類名】明細書
【訂正対象項目名】００２８
【訂正方法】変更
【訂正の内容】
【００２８】
接着促進剤の排出ために回転板に設けられる孔部の傾斜角は、下側の外側層に対して約１０°から７０°、好ましくは、３０°から６０°である。その孔部を、階段の段差部か、外側の角付けられた部分に設けることができる。ここで孔部の数は、段から段、内側から外側にかけて増加している。１０から３０、好ましくは、１２から２５、特に好ましくは、１２から２０の個数で、１．５から２．５ｍｍの直径を有する孔部は、回転軸に対する階段の段差部（Ｂ）の奥底部に設けられている。最外部の角付けられた部分（Ｃ）における孔部の数は、１２から４０、好ましくは、１２から３０、特に好ましくは、１５から３０で、その孔部の直径は、１．５から２．５ｍｍである。一つの特に好ましい回転板の例では、外側の角付けされた部分の孔部が、外側層に対して異なった傾きとなるように構成される。隣接する段の直径の比ｄn/ｄn-1は、１．２から３、好ましくは、２から２．６である。
【誤訳訂正９】
【訂正対象書類名】明細書
【訂正対象項目名】００３２
【訂正方法】変更
【訂正の内容】
【００３２】
その接着促進剤ｃ）を回転板に供給する前に、接着促進剤ｃ）が、機械で高圧又は、低圧の混合機、好ましくは、低圧の混合機を用いて混合され、下流混合ユニット（downstream mixing unit）のような適切な排出装置によって回転板に施される。もし、回転板が駆動手段により回転するならば、接着促進剤ｃ）は、回転板の下に連続的に移送される外側層に分散される。一例として、樹脂からなる混合ユニットは、混合と、接着促進剤の回転板への塗布に使用することができる。排出される接着促進剤ｃ）の量は、金属板１ｍ2あたりに塗布する希望の量を得られるように、継続的に作動する双ベルトの速度と合わせられる。
【誤訳訂正１０】
【訂正対象書類名】明細書
【訂正対象項目名】００３６
【訂正方法】変更
【訂正の内容】
【００３６】
経済的観点からは、供給する量を少なくする必要がある。このために、下側に位置する外側層を、接着促進剤ｃ）によって完全に濡らす（湿らす）ことはできない。しかしながら、（処理された外側層とその上に位置するフォームの間の引っ張り強度を、処理されていない板部材と比較して相当に改良するために、）本発明の供給技術を使用して、下側に位置する外側層に対して行う塗布（供給）は、少ない供給量で十分であることが分かったことは驚くべきことであった。
【誤訳訂正１１】
【訂正対象書類名】明細書
【訂正対象項目名】００８３
【訂正方法】変更
【訂正の内容】
【００８３】
接着促進剤組成物は、若干上昇された温度、３０℃から５０℃で、低圧混合機械（Unipre）で混合され、プラスチック製の混合設備によって回転板に施される。その回転板の直径は、１５ｃｍであり、角付けされた端部を有している。その角付けされた部分の高さは、１５ｍｍである。上記端部の近傍には、３２の孔部が設けられており、接着促進剤組成物は、この孔部を通して遠心力によって排出される。回転速度は、９００ｒｐｍである。双ベルトの幅は、１．２ｍで、その双ベルトは、３ｍ／ｍｉｎの速度で稼働される。排出される接着促進剤の量は、それが施される量、６０、８０、１００ｇ／ｍ2に応じて変化させる。双ベルトの温度は、５５℃から６０℃の間で変化する。
【誤訳訂正１２】
【訂正対象書類名】明細書
【訂正対象項目名】００８７
【訂正方法】変更
【訂正の内容】
【００８７】
【表１】
2008512232.tif 000001
【誤訳訂正１３】
【訂正対象書類名】明細書
【訂正対象項目名】００９１
【訂正方法】変更
【訂正の内容】
【００９１】
【表２】
2008512232.tif 000002